(57)【要約】      （修正有）【課題】トランスを使わずに体内で発生する活性酸素を中和して無毒の水にする活性水素発生装置を提供する。【解決手段】ソケット１から入った電流はダイオード（３０Ｅ１）を通り、コンデンサー２の片端、電球のソケット６との接点１１から電球７を点灯した後電球のソケット６の接点１０、コンデンサーの片端１３からソケットに至り、ソケットから入った交流はダイオード、コンデンサーで直流となり、白熱電球と感応して直流電流を発生し、プラス電極からマイナス電極に放電し、活性水素が発生される。【選択図】図１
0003194369.tif 000002
【実用新案登録請求の範囲】
【請求項１】
白熱電球を挿入したソケットの２か所の接点の内の１点にＡ電線とＢ電線、残りの１点にＣ電線とＤ電線を接続し、Ａ電線にダイオードのマイナス極をソケットに向けて直列に接続し、コンデンサーをＣ電線とダイオードのソケットと反対側に接続し、Ａ電線、Ｃ電線の端は交流電源ソケットに至り、Ｄ電線の端はプラス電極となり、Ｂ電線の端はマイナス電極となり交流電源ソケットから入った交流は、ダイオード、コンデンサーで直流となり、白熱電球に感応してプラス電極とマイナス電極の間で直流電流を発生し、使用した白熱電球、ダイオード、コンデンサー、電球のソケット、電源ソケット、プラス電極、マイナス電極で形成された電気回路で、前記プラス電極とマイナス電極間に直流電流を発生させ、プラス電極からマイナス電極に放電し、活性水素が発生される活性水素発生器。
【請求項２】
白熱電球を挿入したソケットの２か所の接点の内の１点にＡ電線とＢ電線、残りの１点にＣ電線とＤ電線を接続し、Ａ電線、Ｃ電線の端は電源ソケットに至りこれに、トランスと、電源ソケットが両端に位置し、２本の電線が、この両者を連結し、この内の１本の電線で、Ａ線の延長上に、ダイオードを直列に、ダイオードのマイナス極を、電球ソケットの方向に向けて設置し、このマイナス極に接続した電線と、これに並列な電線との間にコンデンサーを接続し、交流電源ソケットから入った交流は、ダイオード・コンデンサーで直流となり、白熱電球に感応して、プラス電極とマイナス電極の間で直流電流を発生し、その時に使用した白熱電球、ダイオード、コンデンサー、ソケット、電球ソケット、プラス電極、マイナス電極、トランス、交流電源ソケット、２本の電線、筒で形成された電気回路で、前記プラス電極とマイナス電極間に直流電流を発生させ、プラス電極からマイナス電極に放電し、活性水素が発生される活性水素発生器。
【考案の詳細な説明】
【技術分野】
【０００１】  この考案は健康を増進する器具に関する。
【背景技術】
【０００２】
【特許文献１】  登録第３１６８９１１号
【特許文献２】  登録第３１７０５５１号
【特許文献３】  登録第３１７２５８４号
【特許文献４】  登録第３１７３２６３号
【特許文献５】  登録第３１８９５０２号
【考案の概要】
【考案が解決しようとする課題】
【０００３】  近年、ストレスの緩和、精神的安定、空気中のゴミの除去作用があるとしてマイナスイオンが着目されているが、五感に容易にその効果が分かる器具はない。マイナスイオンとは酸素イオンの事で、オゾンＯ３である。体中では、活性酸素が悪事をするので、活性酸素を中和して、無害にする為、色々努力するのであるが、Ｏ３も活性酸素なので、マイナスイオンと同じ仲間で、Ｏ３は活性酸素に無力で、体にいい感じを与えないので、活性酸味を中和する活性水素を求めている。【０００４】  本考案は、五感に容易に活性水素の存在を確かめられる為の工夫の開発である。
【課題を解決するための手段】
【０００５】  白熱電球に、ダイオードとコンデンサーで直流とした電流を流すと、適度の直流電流を発生させ、活性水素が発生されたのである。【０００６】通電１分後に、活性水素開放口に、３ｃｍ近付けて、呼吸をするのに２〜３回の呼吸で、大きな息を自然にし、又肺の奥に、呼気が届いている様に感ずる。【０００７】  手の親指で計る血液計で、実年齢より１５歳若くなった。【０００８】  腎臓の新陳代謝が大きくなり、体がおだやかになる事がすぐに分かり、クレアニチンの基準値内の数値が容易に最良値になり、１５％低いクレアニチンが正常になり、発酵アガリクス茸を食べると、この活性は高まる。【０００９】  通じが良くなり、１日に数回も下痢する事なく通じがあるようになり、その時には吸引を控えればよい。【００１０】  ５０肩が消えた。【００１１】  活性水素の気流中で大きな呼吸をしたとき片方の肺に異常を感じた場合、簡単に治る。【００１２】  喘息によい。【００１３】  顔のイボにあった黒子の色が消えた。【００１４】  手相の生命線に副生命線のある人が数ヵ月で、之が伸びた。【００１５】  マイナスイオンは活性酸素とも言い猛毒で、体の中から何時も発生し、甲状線ガン等のガンもガンが健康な細胞に、直接ガンを引き起こすのでなく、一旦ガンの因子が健康な細胞に活性酸素を発生させ、細胞を弱らせた後に、之をガン化させると言われている。この活性酸素を活性水素で中和し、無害の水として、活性酸素を除去する。【００１６】  一晩の吸引で効果は２４時間は持続する。（置場所１ｍ以内．６畳）自覚できる。【００１７】  痔はなをる。
【考案を実施する為の形態】
【００１８】図面を参照しながら説明します。図１は箱に入った横から見た図で、ソケット１の３から入った電流は４のダイオード（３０Ｅ１）を通り、１２のコンデンサーの片端、電球のソケット６との接点１１から７の電球を点灯した後電球のソケット６の接点１０、コンデンサーの片端１３からソケットに至り、ソケットから入った交流はダイオード、コンデンサーで直流となり、白熱電球と感応して直流電流を発生し、プラス電極からマイナス電極に放電し、活性水素が発生され、図３の電源ソケット１９の２１から入れた電流は４のダイオード（３０Ｅ１）を通り、コンデンサーの片端１２からトランス２４の片端２２から図２のソケット１の３からＡ電線に入り、電球ソケット６との接点１１から白熱電球７に入り、点灯した後電球ソケット６の接点１０コンデンサーの片端１３からソケットに至り、ソケットから入った交流は、ダイオード、コンデンサーで直流となり  白熱電球と感応して直流電流を発生し、プラス電極からマイナス電極に放電し活生水素が発生される。
【図面の簡単な説明】
【００１９】
【図１】  図１は活性水素発生器に白熱電球を使用した電気回路図。
【図２】  図２は活性水素発生器に白熱電球を使用した電気回路図。
【図３】  図３は活性水素発生器に白熱電球を使用した電気回路図。
【符号の説明】
【００２０】  １  ソケット
２  ソケットの先
３  ソケットの先
４  ダイオード
５  コンデンサー
６  電球のソケット
７  白熱電球
８  プラス極
９  マイナス極
１０  プラス極接点
１１  マイナス極接点
１２  コンデンサーの片端
１３  コンデンサーの片端
１４  本体箱
１５  電球取出口
１６  温度見張、遮光用、低温熔解プラスチック
１７  安定円盤
１８  有孔電球ソケット安定盤
１９  通風孔
２０  ソケットの先
２１  ソケットの先
２２  トランスの端
２３  トランスの端
２４  トランス
２５  筒
【図１】
0003194369.tif 000003
【図２】
0003194369.tif 000004
【図３】
0003194369.tif 000005